(57)【要約】      （修正有）【課題】魚との格闘回避を実現し、万一のトラブルが船上で発生し感電しても不慮の事故を回避することができ、漁業従事者の危険かつ重労働環境を改善すると同時に獲り逃がしを回避し、魚の針掛かりから漁獲までの時間を短縮する。【解決手段】船上より垂らされた非導電性幹糸ａに懸吊される防水収納ケース１と、防水収納ケースに取り付けたスプリングケース１７と、スプリングケースに固着される第１の電極１３と、防水収納ケースに挿着された第２の電極６と、第２の電極に導電性ハリスを介して接続される釣り針６と、防水収納ケース内に挿入され魚が針掛かりした際に作動するセンサー３と、センサーに接続される電源および電気制御部から構成される。【選択図】図１
2009273419.tif 000002
【特許請求の範囲】
【請求項１】
船上より垂らされた非導電性幹糸に懸吊される防水収納ケースと、同防水収納ケースに取り付けたスプリングケースと、同スプリングケースに固着される第１の電極と、前記防水収納ケースに挿着された第２の電極と、同第２の電極に導電性ハリスを介して接続される釣り針と、前記防水収納ケース内に挿入され魚が針掛かりした際に作動するセンサーと、同センサーに接続される電源および電気制御部から構成されることを特徴とする漁獲用副漁具装置。
【請求項２】
上記第２の電極にストッパー機構を装着したことを特徴とする請求項１に記載の漁獲用副漁具装置。
【請求項３】
上記電気制御部のセンサーが、圧力スイッチ、磁気スイッチ、歪みスイッチの何れかからなることを特徴とする請求項１に記載の漁獲用副漁具装置。
【請求項４】
上記電気制御部は前記第１の電極と前記第２の電極間の電圧と電流を所定の出力に制御することを特徴とする漁獲用副漁具装置の制御方法。
【発明の詳細な説明】
【技術分野】
【０００１】
本発明は針掛かりした魚と釣り手が格闘することなく漁獲することが可能な漁獲用副漁具装置とその制御方法である。
【背景技術】
【０００２】
針掛かりした魚を格闘することなく漁獲するための漁具は、図４に図示するように既にいくつかの特許出願がされている（特開平６−３４９５９０）。しかし、その全ては船上に電気制御部を設置し、人的行為で電力を供給する方法、つまり一方の電極は船底に配置し、もう片方は電極となる銛を魚に打ち込む方法または、図４に図示する非特許文献（山田実業株式会社ホームページ）のように幹糸に導電リングを沿わせて魚に接触または接近させた上で通電する。この方法は人体に危険な電力を必要とし過去には不慮の事故も発生している。魚体と船底の間で大電流を通じることから周辺に回遊する海洋生物に多大な影響を及ぼし資源保護の観点から悪影響を及ぼすとの指摘がある。
【０００３】
船上に電気制御部を設置し、船上より垂らす幹糸に導電性の加工を施し、釣り針に餌をつけ放流する。もう片方の電極も一定の間隔を持って近接する周辺に放流する。
【０００４】
また、魚が針掛かりしたことを検出して船上の電気制御部から電気を供給し魚体と反対電極間に電流を通じ格闘することなく漁獲する方法の出願（特開２００６−２３０３８３）がなされている。この方法も上記の漁法と同様に人体に危険な電力を必要とする。
【０００５】
人体の感電はそのときの状況、即ち、乾燥時、湿潤時、感電部位、通電時間など電流値に影響を受ける。文献によると離脱限界電流は概ね１６ｍＡ程度と発表され通説となっている。
【０００６】
本発明品は基電源に市販の乾電池を使い直流から交流への変換及び昇圧を行うために安全性を確保し更に経済効率や小型軽量を実現することが可能となった。  
【０００７】
【特許文献１】特開平６−３４９５９０
【特許文献２】特開２００６−２３０３８３
【非特許文献１】山田実業株式会社（本社大坂平野区）ホームページから抜粋
【発明の開示】
【発明が解決しようとする課題】
【０００８】
電気制御部は前記第１の電極と前記第２の電極間の電圧と電流を所定の出力に制御することにより人体への感電事故の危険がないことを特徴としている。万一のトラブルが船上で発生し本発明品に感電しても不慮の事故を回避することができる。同時に針掛かりした魚の周辺に回遊する海洋生物に影響を及ぼすことも回避することができる副漁具装置およびその制御方法を提供する。因みに人体が感電した際、離脱限界電流は概ね１６ｍＡ程度と発表されている「（社）日本電気協会資料より」また海水の導電率は２．０÷１０オームメートルとされ人体の導電率は約５．０×１０００００オームメートルであるために回路短絡時の最高電流値を３０ｍＡ以下にすることで人体への不慮の事故が回避できる。
漁業従事者の生活環境は漁獲量の減少、燃料費高騰、高齢化、後継者不足、重労働など厳しさの一途にある。従来の漁法ではこれらの課題に充分には貢献できていない。また、乱獲や気候変動などの影響で海洋資源保護が強調されている。国連食糧農業機関(ＦＡＯ)責任ある漁業に関する行動規範（１９９５年）では限りある資源の有効利用のために漁具により少しでもダメージを受けた生物に責任を持つことを提唱したが、従来の漁法では格闘の末の獲り逃がしが多発しＦＡＯ提唱の趣旨に照らしても好ましい状態ではない。本発明ではＦＡＯ提唱の趣旨を実現し上述の様々な課題を大幅に改善し漁業従事者と海洋生物保護に貢献する。このための漁獲用副漁具装置とその制御方法を提供する。
【課題を解決するための手段】
【０００９】
本発明１は、船上より垂らされた非導電性幹糸に懸吊される防水収納ケースと、同防水収納ケースに取り付けたスプリングケースと、同スプリングケースに固着される第１の電極と、前記防水収納ケースに挿着された第２の電極と、同第２の電極に導電性ハリスを介して接続される釣り針と、前記防水収納ケース内に挿入され、魚が針掛かりした際に作動するセンサーと、同センサーに接続される電源および電気制御部から構成されることを特徴とする漁獲用副漁具装置である。
本発明２は、上記第２の電極にストッパー機構を装着したことを特徴とする請求項１に記載の漁獲用副漁具装置である。
本発明３は、上記電気制御部のスイッチ機能が、圧力スイッチ、磁気スイッチ、歪みスイッチの何れかからなることを特徴とする請求項１に記載の漁獲用副漁具装置である。
本発明４は、上記電気制御部は前記第１の電極と前記第２の電極間の電圧と電流を所定の出力に制御することを特徴とする漁獲用副漁具装置の制御方法である。
本発明は魚が針掛かりしたことを検出する検出部と電気信号を開閉するスイッチ機能と魚に電気を供給する電気制御部機能を一体化したこと、かつ、魚と同じ水深で作動することが最大の特徴である。
【発明の効果】
【００１０】
本発明は前述した構成により、魚との格闘回避を実現し、万一のトラブルが船上で発生し本発明品に感電しても不慮の事故を回避することができ、漁業従事者の危険かつ重労働環境を改善すると同時に獲り逃がしが回避できること、魚の針掛かりから漁獲までの時間の短縮などが実現できた。また、絶縁材ストッパーを設けたこと、磁気スイッチを採用したことによって小型化、堅牢化が実現できた。他方、時として混獲される危険生物(サメ・エイ類)にも無駄な労力を消費していたが本発明では効率的に対処することが可能となった。以上のように労働生産性を向上させ経済効率向上、危険作業回避の実現は日本の食文化維持、漁業従事者の生活向上と後継者育成に貢献する効果が得られる。
【発明を実施するための最良の形態】
【００１１】
本発明では、魚体の構造、魚の電気的特性、魚の行動習性を解析することから着手した。針掛かりした魚を漁獲する際、魚の行動習性を逆利用し漁獲に際して魚自身に大きな役割を担わせる手法を採用した。以下図面を参照して説明する。
【実施例】
【００１２】
図１、図２を参照して本実施例を以下説明する。本発明では、船上より垂らされた非導電性幹糸ａに懸吊される防水収納ケース１と、同防水収納ケース１に六角ボルト１０で取り付けたスプリングケース１７と、同スプリングケース１７に固着される第１の電極１３と、前記防水収納ケース１に挿着された第２の電極６と、同第２の電極６に導電性ハリスを介して接続される釣り針Ｃと、前記防水収納ケース１内に挿入され、漁獲対象魚Ｄが針掛かりした際に作動するセンサー可動片２及びセンサー検出器３と、同センサー検出器３に接続される基電源である電池パック５及び図２に図示するように電気基盤４に組み込まれた電気制御部４a、直流電源部４ｂ、スイッチ機能４ｃ、直交変換部４ｄ、電圧昇圧部４eで構成した。
【００１３】
第２の電極６には導電性丸棒を使用し、表面全てに予め絶縁処理を施し、センサー可動片２と絶縁材ストッパー７を装着して防水収納ケース１内に挿入した後、受け座８を螺着する。この際、絶縁材ストッパー７の固定位置はセンサー可動片２及びセンサー検出器３の検知ストロークの相関関係で自ずと決まり、ストッパー７と受け座８の接触面は魚の抵抗する圧力を受け止め本装置全体の耐久性を確保する役割を担う。
【００１４】
魚掛かりの誤動作防止と緩衝の役割を担うスプリングケース１７は事前にスプリング１２とスプリング押さえ１１を着座させ、第２の電極６に沿って装着し、面防水用のＯリング９をスプリングケース１７の嵌め合い面に密着させ第１の六角ボルト１０で防水収納ケース本体１と結合した。軸防水対策の為に防水材１４をスプリングケース１７とスプリングケース蓋１６との結合部に着座しスプリングケース蓋１６を第２の六角ボルト１５で封着した。
【００１５】
防水収納ケース本体１内部は電池パック５と電気基板４を持着し、電気基板４上には図２に図示するように直交変換部４ｄ、電圧昇圧部４e、スイッチ機能４cに必要なパーツを搭載し回路を構成した。本実施例ではスイッチ機能Ｃには磁気スイッチを用いたが必要に応じて圧力スイッチや歪みスイッチを用いることもできる。更に、電気出力端は図１に図示の第２の電極６及び第１の電極１３に予め本体内部で結線を施し、電気基盤４の制御部では、前記第２の電極６及び第１の電極１３の両端子を短絡時の最高電流値を３０ｍＡ以下に制御して、仮に人体が感電しても前述の魚と人体の導電率の違いによって人体の感電による不慮の事故を回避できるようにした。
【００１６】
本発明品は段取りや装着は人手で行うが、操作、運用は魚の重量と反発、行動習性によって魚自身に担わせる。この着眼によって前述の課題克服に繋がる貢献が可能となった。魚が針掛かりしたことを検出する検出機構及び魚に電気を供給するスイッチ開閉や閉ループ回路を構成させる機能は魚の重量と反発、魚自身の習性、即ち餌を咥えた魚は釣り上げようとする力の反対方向更に深みに逃げようとする習性を逆利用し機能する仕組みにした。これによって魚に電気を供給する電気制御部を船上に配置する必要が無く小型・軽量・一体化・小電力が実現した。
【００１７】
図３は魚の行動習性概念と本発明品の副漁具装置の関係を図示化した概念図である。魚の行動と副漁具装置の内部動作の関連について説明する。図３のパターン２に示す漁獲対象魚Ｄが釣り針Ｃに付けられた釣り餌を喰え逃げ去ろうとしたとき、第２の電極６は導電性ハリス取り付け釣り針ｂを介して引っ張り力を察知し、スプリング１２に圧力を加えながら下方に移動する。図３のパターン３に図示する様に更に第２の電極６を下方に引き下げると電気基盤４に装着したセンサー検出器３とセンサー可動片２の間で魚掛かりしたことを感知し電気信号として出力する。スイッチ機能４ｃが閉となり電池パック５を基電源として電気基盤４で直交変換処理後、昇圧した電気を前述の第２の電極６及び第１の電極１３に供給する。漁獲対象魚Ｄが必死の回避行動を繰り返す間に、防水収納ケース本体１と結合したスプリングケース１７に装着した第１の電極１３に漁獲対象魚Ｄが接触または数センチメートルに接近したとき、電気回路が構成され上記電気が漁獲対象魚Ｄに加電され、図３のパターン４に示す漁獲対象魚Ｄは運動神経にショックを受け無抵抗に陥る。漁師は格闘することなく引き上げが可能となる。
【００１８】
上記スプリング１２は魚種によって取り替え交換が可能にした。スプリングケース１７にスプリング１２とスプリング押さえ11を装着し、防水収納ケース１と結合した。前記スプリング１２は、誤動作防止や小魚除外の役割を担う。
【産業上の利用可能性】
【００１９】
本発明品は、中型魚や大型魚のみならず、小型魚にも適用できる。マグロ漁業を例にとると一本釣り漁や延縄漁、曳縄漁によって漁獲がなされている。前述したように数少ない機会に成果を得るべく厳しい環境の下、漁を営んでいるが本発明を導入することによって漁獲環境は大きく改善が期待できる。また、国内消費量の８割が輸入マグロと言われるが、輸入マグロは格闘に起因する魚肉の劣化（やけ）発生が多いとされ、市場関係者の評価は厳しい。品質保持や資源の有効活用を図るためにも諸外国漁業者に推奨可能な発明である。育てる漁業、乱獲防止の一環として各国では蓄養や養殖の導入が推進されている。生け簀から魚を陸揚げする作業にも導入促進が期待できる。他方、アラ漁においては根掛かりなどによって取り逃がしが多発する。国連食糧農業機関(ＦＡＯ)責任ある漁業に関する行動規範（１９９５年）では限りある資源の有効利用のために漁具により少しでもダメージを受けた生物に責任を持つことを提唱した。本発明は提唱の実現に多大な貢献ができる。
【図面の簡単な説明】
【００２０】
【図１】本発明装置の概念を示す説明図
【図２】本発明に係る一実施例の電気制御部のブロック図
【図３】本発明に係る魚の行動習性概念図
【図４】従来漁法のイメージ図（山田実業株式会社ホームページから抜粋）
【符号の説明】
【００２１】
ａ  ：非導電性幹糸
１  ：防水収納ケース
２  ：センサー可動片
３  ：センサー検出器
４  ：電気基盤  
４ａ：電気制御部
４ｂ：直流電源部
４ｃ：スイッチ機能
４ｄ：直交変換部
４ｅ：電圧昇圧部
５  ：電池パック
６  ：第２の電極  
７  ：絶縁材ストッパー
８  ：受け座
９  ：Ｏリング
１０  ：第１の六角ボルト
１１  ：スプリング押さえ
１２  ：スプリング
１３  ：第１の電極
１４  ：防水材
１５  ：第２の六角ボルト
１６  ：スプリングケース蓋
１７  ：スプリングケース
ｂ  ：導電性ハリス取り付け釣り針
Ａ  ：漁獲用副漁具装置
Ｃ  ：釣り餌
Ｄ  ：漁獲対象魚
【図１】
2009273419.tif 000003
【図２】
2009273419.tif 000004
【図３】
2009273419.tif 000005
【図４】
2009273419.tif 000006